(57)【要約】【課題】  ＣＯ２削減に寄与し、作業の効率化を図った繰り返し使用できる荷崩れ防止バンドを提供する。【解決手段】  防止帯の巻き始め部分に、ガイド板を備えたガイド棒を設け、積み荷の隙間に差し込み安定をはかり、積み荷に密着するように裏にラバーコーティングを施した、環境対策を宣伝することもできる一人で作業可能な繰り返し使用できる荷崩れ防止バンド。【選択図】図１
2011011815.tif 000002
【特許請求の範囲】
【請求項１】
（イ）表面ナイロン裏面ラバーコーティングの帯状の材料エコバンド（７）の端に棒状のガイ棒（３）を設ける。
（ロ）ガイド棒（３）には、水平方向には回転式で垂直方向には固定式の上部のガイド板上下固定（２）と、下部には水平方向には回転式で、垂直方向には図３の９の範囲で可動式のガイド板蝶番つき上下可動式（４）を設ける。
（ハ）エコバンド（７）のもう一端には、面ファスナー部分フック状部（５）を裏に設ける。
また、バンドの中ほどで、パレットの一周する長さのところの表面には面ファスナーのループ状部（８）を設けバンドの固定する。
本発明は、以上のような構成された繰り返し使用できる荷崩れ防止バンド。
【発明の詳細な説明】
【技術分野】
【０００１】  本発明は、パレット上の積み荷の固定を図り、繰り返し使用してＣＯ２の削減に寄与する繰り返し使用できる荷崩れ防止バンドに関するものである。
【背景技術】
【０００２】  従来、ストレッチフィルムを使用して荷崩れ防止を図っていたが、幾度もパレットの周囲を回り作業効率が悪く、再度使用できないので、焼却されていた。
ＣＯ２の削減のために多くのリサイクル荷崩れ防止具が考えられている。
ネット状のものや、パレットの４隅に板を用いて固定する方法や帯状のバンドで巻く方法などが発明されている。
一人での作業がしにくかったり、巻き始めの固定が弱かったり、使用しないときの収納がしにくかったりなどの欠点があった。
【先行技術文献】
【０００３】
【特許文献１】  特開２００７−１６８８９８号公報
【特許文献２】  特開２００７−２３０６２６号公報
【特許文献３】  特開２００９−８３８８７号公報
【発明の概要】
【発明が解決しようとする課題】
【０００４】  従来の方法では、巻き始めに防止帯の端を積み荷にはさみ込むなどの方法が取られている。
積荷の形状によっては固定が弱く巻きづらいので、本発明では巻き始めの部分に工夫がなされた。
帯状のナイロン材料のエコバンドの端に棒状のガイド棒を設け、ガイド棒には、上部のガイド下部には蝶番つきのガイド板を設け、各々のガイド板が積荷の箱の隙間部分に挟み込み、まき始めの部分を固定する。
エコバンドのもう一端には、面ファスナーのフック状部を裏に設け、エコバンドの中ほどでパレットの一周するあたりの表面には面ファスナーのループ状部を設けてバンドの固定を行う構成になっている。
【課題を解決するための手段】
【０００５】（イ）表面ナイロン裏面ラバーコーティングの帯状の材料（７）の端に棒状のガイド棒（３）を設ける。
（ロ）ガイド棒には、水平方向には回転式で垂直方向には固定式の上部のガイド板（２）と、下部には水平方向には回転式で、垂直方向には図３の９の範囲で可動式の蝶番つきのガイド板（４）を設ける。
（ハ）エコバンド（７）のもう一端には、面ファスナーのフック状部（５）を裏に設ける。
また、バンドの中ほどで、パレットの一周する長さのところの表面には面ファスナーのループ状部を設けてバンドの固定を行う。
本発明は、以上のように構成された繰り返し使用できる荷崩れ防止バンドである。
【発明の効果】
【０００６】  ガイド棒を巻き始めに設けていること、裏面のラバーが箱に密着しやすいこと、エコバンドの素材がしっかりしているので１周巻くだけで十分の強度が得られること等、簡単で一人の作業で容易に積み荷の荷崩れを防ぐことができる。
加えて、エコバンドの表面は企業名などの印字が可能なので、環境問題に取り組む企業イメージを宣伝するために用いることもできる。
使用後は、バンド端の面ファスナー部分から巻いて保管するが、ガイド棒があるために棒状になるので収納しやすい。
このエコバンド（防止帯）を巻き始める最初の部分は、強化プラスティック製のガイド板をつけたガイド棒が設けられていて、ガイド板を積み荷の箱の間に差し込んで、巻き始めにエコバンドがずれたり外れたりしないように固定することができる。
積み荷の箱の大きさによって組み方が異なってくるために、ガイド板も上部と下部に設置し、下部は蝶番つきで上下方向に可動式にすることで、形状が異なる積み荷に対応できるようにしている。
また、エコバンドの素材を表面はナイロン、裏面はラバーコーティングにすることで積み荷との密着性を高めることができる。
【図面の簡単な説明】
【０００７】
【図１】  本発明を使用したパレットの斜視図である。
【図２】  本発明の全体の説明図である
【図３】  本発明のガイド棒の部分の説明図である。
【発明を実施するための形態】
【０００８】  以下、本発明の実施の形態について説明する。
（イ）表面ナイロン裏面ラバーコーティングの帯状の材料（７）の端に棒状のガイド棒（３）を設ける。
（ロ）ガイド棒には、水平方向には回転式で垂直方向には固定式の上部のガイド板（２）と、下部には水平方向には回転式で、垂直方向には図３の９の範囲で可動式の蝶番つきのガイド板（４）を設ける。
（ハ）エコバンド（７）のもう一端には、面ファスナーのフック状部（５）を裏に設ける。
また、バンドの中ほどで、パレットの一周する長さのところの表面には面ファスナーのループ状部を設けてバンドの固定を行う。
本発明は、以上のように構成された繰り返し使用できる荷崩れ防止バンドである。
一人作業で効率を高めるために、巻き始めの部分に強化プラスティック製のガイド板をつけたガイド棒を設け、ガイド板を積み荷の箱の間に差し込んで、荷崩れ防止帯がずれたり外れたりしないように固定できるよう発明された装置で、パレットの積み荷の箱の大きさによって組み方が異なるので、ガイド板をガイド棒の上部と下部に設置し、下部は蝶番つきで上下方向に可動式にする（図３−９参照）ことで、形状が異なる積み荷に対応できるようにしている繰り返し使用できる荷崩れ防止バンドである。
また、エコバンドの素材を表面はナイロンで強度を高め、裏面はラバーコーティングで積み荷との密着性を高め、そうして一周巻くだけで荷崩れを防ぐことができ、加えて表面に企業名や環境保護のために取り組んでいることを示す努力などをプリントできるので、宣伝効果を上げたり、企業内での啓発のために役立つ繰り返し使用できる荷崩れ防止バンドである。
これを使用するときにはガイド棒（３）のガイド板蝶番つき上下可動式（４）の下部ガイド板を、積み荷の箱の底部と側面に挟み込む。
このとき、ガイド板蝶番つき上下可動式（４）は上下の調節が可能なので、積み荷の箱の隙間に応じて高さの調整ができる。
その状態で、ガイド板上下固定（２）が挟み込む隙間がない場合、つまり積み荷の隙間がガイド棒と同一線上にない場合は、どちらかのガイド板だけの固定となる。
そして、端をガイド棒によって固定されたエコバンドを積み荷の回りに巻き、エコバンドの端の面ファスナー部分はエコバンド（７）の中ほどに設けられている面ファスナーに合わせて固定する。
このエコバンド（７）を巻き始める最初の部分は、強化プラスティック製のガイド板をつけたガイド棒（３）が設けられていて、ガイド板を積み荷の箱の間に差し込んで、巻き始めにエコバンドがずれたり外れたりしないように固定することが出来る。
積み荷の箱の大きさによって組み方が異なってくるために、ガイド板も上部と下部に設置し、下部は蝶番つきで上下方向に可動式にすることで、形状が異なる積み荷に対応できるようにしている。
また、エコバンドの素材を表面はナイロン、裏面はラバーコーティングにすることで積み荷との密着性を高めることができる。
【符号の説明】
【０００９】    １  積み荷
２  ガイド板上下固定
３  ガイド棒
４  ガイド板蝶番つき上下可動式
５  面ファスナー部分フック状部
６  プリント部分
７  エコバンド
８  面ファスナー部分ループ状部
９  ガイド板蝶番つき可動範囲
【図１】
2011011815.tif 000003
【図２】
2011011815.tif 000004
【図３】
2011011815.tif 000005